(57)【要約】【課題】遠心送風機１においては、循環流れ１５が、吸込み胴８からインペラ６に流入した主流１７に衝突して遠心方向の流れを乱し、送風効率が低下する。対策としての吸込み胴８は、施工性とメンテ性に優れたものがない。【解決手段】遠心送風機１は、インペラ６を囲むケーシング７を備え、吸込み用開口２には、吸込み胴８があり、円筒部９と、円筒部９から上流側に向かって内径が拡大するベルマウス形状部１０と、円筒部９から下流側に向かって内径が拡大するベルマウス形状部１１を備え、周方向に三個以上に分割し構成されているので、インペラ６を組んでから後に、ケースに吸込み胴８を取り付けることが可能となり、送風性能の向上の効果が期待できる。【選択図】図１
2008169793.tif 000002
【特許請求の範囲】
【請求項１】
空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、三個以上に分割し構成されたことを特徴とする遠心送風機。
【請求項２】
吸込み胴の分割部に結合部材を取り付けたことを特徴とする請求項１記載の遠心送風機。
【請求項３】
吸込み胴は、断面が絞り型であり、直径の最小部より、羽根車側を、三個以上に分割したことを特徴とする請求項１および２記載の遠心送風機。
【請求項４】
吸込み胴の先端部のみ一体の成型された硬質樹脂またはゴムで製作し接着したことを特徴とする請求項１〜３記載のいずれかの遠心送風機。
【請求項５】
インペラの側板に、成型された硬質樹脂またはゴムまたは板金加工品などのガイド部材を取り付けた請求項１〜４記載のいずれかの遠心送風機。
【発明の詳細な説明】
【技術分野】
【０００１】
本発明は、空調用送風機器や換気送風機器等に使用される遠心送風機に関するものである。
【背景技術】
【０００２】
従来、この種の遠心送風機は、電動機の回転軸に連結される円盤状の主板と、主板と同心円で中心に吸込み口を備えるドーナツ状の吸込みシュラウドとで複数の羽根板を環状に挟んで固定したインペラと、吸込みシュラウドの吸込み口に空気を導く吸込み胴とを備えたものが知られている（例えば、特許文献１参照）。
【０００３】
以下、その遠心送風機について図９を参照しながら説明する。
【０００４】
図に示すように、特許文献１の遠心送風機１０１は、吸込みシュラウド１０２を備えるインペラ１０３と、インペラ１０３に向かって先細に形成される円錐状の吸込み胴１０４と、吸込み胴１０４と同心で吸込み胴１０４の端部１０５が内側に突出するように連結された円筒状のマウス片１０６とを備え、マウス片１０６はインペラ１０３の吸込み口１０７に挿入されて固定されている。また、インペラ１０３の芯ぶれやアンバランスによる振動などによってマウス片１０６と吸込み口１０７とが接触したり、送風する空気に含まれた異物が詰まったりすることにより、摩擦によるロスや磨耗の発生、衝突による破壊が起こらないように、マウス片１０６と吸込み口１０７は間隙１０８を保った構成となっている。
【０００５】
上記構成において、インペラ１０３が回転すると、インペラ１０３の昇圧作用により吸込み胴１０４から流入した空気がマウス片１０６を通って吸込み口１０７からインペラ１０３に回転軸方向に流入し、遠心方向に方向を変えてインペラ１０３から流出するが、マウス片１０６の内側に吸込み胴１０４が突出している部分で吸込み胴１０４から流出した空気の一部がマウス片１０６との間で剥離渦１０９を形成するため、その部分の圧力が減少し、空気の流れを引き付けるため、吸込み胴１０４から回転軸方向に流入する空気をスムーズに遠心方向に方向を変えるように促している。
【特許文献１】特許第３３２５５７４号公報
【発明の開示】
【発明が解決しようとする課題】
【０００６】
このとき、インペラ１０３から流出した空気よりも吸込み口１０７の空気のほうが圧力が低いため、インペラ１０３から流出した空気の一部は、マウス片１０６とインペラ１０３の吸込み口１０７の間隙１０８を通って再びインペラ１０３の吸込み口１０７に流れ込む循環流れ１１０を形成するが、このような従来の遠心送風機１０１では間隙１０８から回転軸方向に噴出する循環流れ１１０が吸込み口１０７から流入した時に、吸込み胴１０４から流入し遠心方向に流れる空気に衝突して遠心方向の流れを乱し、送風性能を低減させるという課題があり、循環流れ１１０が吸込み胴１０４から流入し遠心方向に流れる空気に衝突して流れを乱すことがないようにし、送風効率を向上することが要求されている。かつ、組立上、実現可能な対策が要求されている。
【０００７】
本発明は、このような従来の課題を解決するものであり、循環流れが吸込み胴からインペラに流入した主流に衝突して遠心方向の流れを乱すことがなく、送風効率を向上することができ、かつ施工性とメンテ性の優れた構造であることを特徴とした遠心送風機を提供することを目的としている。
【課題を解決するための手段】
【０００８】
本発明の遠心送風機は上記目的を達成するために、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、三個以上に分割し構成されたことを特徴とする遠心送風機としたものである。
【０００９】
この手段により、インペラから流出した空気の一部が吸込み胴と吸込みシュラウドの間隙を通って再びインペラの吸込み口に流れ込んで形成される循環流れが間隙から吹き出す方向を遠心方向に向けることができるため、循環流れが吹き出す方向を吸込み胴からインペラに流入し遠心方向に流れる主流に沿わせることができ、主流に循環流れが衝突することにより遠心方向の流れを乱して送風性能を低減させることを抑制することができ、送風効率を向上することができ、かつ羽根車を取り付けたままで、吸込み胴を取りはずすことのできる施工性やメンテ性を向上させた遠心送風機が得られる。
【００１０】
また他の手段は、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、三個以上に分割し、かつ分割部に結合部材を取り付けたことを特徴とする遠心送風機としたものである。
【００１１】
この手段により、インペラから流出した空気の一部が吸込み胴と吸込みシュラウドの間隙を通って再びインペラの吸込み口に流れ込んで形成される循環流れが間隙から吹き出す方向を遠心方向に向けることができるため、循環流れが吹き出す方向を吸込み胴からインペラに流入し遠心方向に流れる主流に沿わせることができ、主流に循環流れが衝突することにより遠心方向の流れを乱して送風性能を低減させることを抑制することができ、送風効率を向上することができ、かつ羽根車を取り付けたままで、吸込み胴を取りはずすことのできる施工性やメンテ性を向上させた遠心送風機が得られる。
【００１２】
また他の手段は、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、断面が絞り型であり、直径の最小部より、羽根車側を、三個以上に分割したことを特徴とした遠心送風機としたものである。
【００１３】
この手段により、インペラから流出した空気の一部が吸込み胴と吸込みシュラウドの間隙を通って再びインペラの吸込み口に流れ込んで形成される循環流れが間隙から吹き出す方向を遠心方向に向けることができるため、循環流れが吹き出す方向を吸込み胴からインペラに流入し遠心方向に流れる主流に沿わせることができ、主流に循環流れが衝突することにより遠心方向の流れを乱して送風性能を低減させることを抑制することができ、送風効率を向上することができ、かつ羽根車を取り付けたままで、吸込み胴を取りはずすことのできる施工性やメンテ性を向上させた遠心送風機が得られる。
【００１４】
また他の手段は、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴の先端部のみ一体の成型された硬質樹脂またはゴムで製作し接着したことを特徴とした遠心送風機としたものである。
【００１５】
この手段により、インペラから流出した空気の一部が吸込み胴と吸込みシュラウドの間隙を通って再びインペラの吸込み口に流れ込んで形成される循環流れが間隙から吹き出す方向を遠心方向に向けることができるため、循環流れが吹き出す方向を吸込み胴からインペラに流入し遠心方向に流れる主流に沿わせることができ、主流に循環流れが衝突することにより遠心方向の流れを乱して送風性能を低減させることを抑制することができ、送風効率を向上することができ、かつ羽根車を取り付けたままで、吸込み胴を取りはずすことのできる施工性やメンテ性を向上させた遠心送風機が得られる。
【００１６】
また他の手段は、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記インペラの側板に、成型された硬質樹脂またはゴムまたは板金加工品などのガイド部材を取り付けたことを特徴とした遠心送風機としたものである。
【００１７】
この手段により、インペラから流出した空気の一部が吸込み胴と吸込みシュラウドの間隙を通って再びインペラの吸込み口に流れ込んで形成される循環流れが間隙から吹き出す方向を遠心方向に向けることができるため、循環流れが吹き出す方向を吸込み胴からインペラに流入し遠心方向に流れる主流に沿わせることができ、主流に循環流れが衝突することにより遠心方向の流れを乱して送風性能を低減させることを抑制することができ、送風効率を向上することができ、かつ羽根車を取り付けたままで、吸込み胴を取りはずすことのできる施工性やメンテ性を向上させた遠心送風機が得られる。
【発明の効果】
【００１８】
本発明によれば、循環流れが吸込み胴からインペラに流入した主流に衝突して遠心方向の流れを乱すことがなく、送風効率を向上することができ、施工性とメンテ性に優れた遠心送風機を提供できる。
【発明を実施するための最良の形態】
【００１９】
本発明の請求項１記載の発明は、上記目的を達成するために、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、三個以上に分割し構成としたものであり、羽根車を取り付けたままで、吸込み胴を取りはずすことのできる施工性やメンテ性を向上させることができるという作用を有する。
【００２０】
また、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、三個以上に分割し、かつ分割部に結合部材を取り付けた構成としたものであり、吸込み胴を取りはずすことのできる施工性やメンテ性を向上させた遠心送風機が得られる。
【００２１】
また、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴は、断面が絞り型であり、直径の最小部より、羽根車側を、三個以上に分割した構成としたものであり、吸込み胴を取りはずすことのできる施工性やメンテ性を向上させという作用を有する。
【００２２】
また、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記吸込み胴の先端部のみ一体の成型された硬質樹脂またはゴムで製作し接着した構成としたものであり、羽根車を取り付けたままで、吸込み胴を取りはずすことのできる施工性やメンテ性を向上させた遠心送風機が得られる。
【００２３】
また、空気を吸込む吸込み用開口と空気を吐き出す吐出用開口を備える外郭内に、電動機と、電動機の回転軸に連結される円盤状の主板と主板と同心円で中心に空気を吸込む吸込み口を備えるドーナツ状の吸込みシュラウドとで複数の羽根板を環状に挟んで形成されるインペラと、吸込みシュラウドの吸込み口に外郭の吸込み用開口からの空気を導くように固定された吸込み胴とを備え、吸込み胴の下流端が吸込みシュラウドの吸込み口よりインペラの内部に挿入され、かつ吸込み胴と吸込みシュラウドとの間に間隙を備えた遠心送風機で、インペラから流出した空気の一部が吸込み胴と吸込みシュラウドとの間の間隙から吸込み口へ流れ込んで発生する循環流れの間隙からの吹き出し方向を遠心方向に向けるようにし、かつ上記インペラの側板に、成型された硬質樹脂またはゴムまたは板金加工品などのガイド部材を取り付けた構成としたものであり、羽根車を取り付けたままで、吸込み胴を取りはずすことのできる施工性やメンテ性を向上させた遠心送風機が得られる。
【００２４】
以下、本発明の実施の形態について図面を参照しながら説明する。
【００２５】
（実施の形態１）
図１から図３に示すように、遠心送風機１は、側面に空気を吸込む吸い込み用開口２と別の側面に空気を吐き出す吐出用開口３を備え、電動機４と、電動機４の回転軸５に連結され電動機４の回転によって空気を送風するインペラ６と、上記インペラ６を囲むケーシング７を備えている。上記吸込み開口２には、吸い込み胴８があり、円筒部９と、円筒部９から上流側に向かって内径が拡大するベルマウス形状部１０と、円筒部９から下流側に向かって内径が拡大するベルマウス形状部１１を備えているので、最小内径位置は吸い込み胴８の円筒部９となる。吸い込み胴８の下流端１６は、インペラ６の内部、すなわち、吸い込みシュラウド１３の上端部よりもインペラ６側で、かつ、主板２７側に位置する。
【００２６】
上記構成において、電動機４によりインペラ６が回転すると、インペラ６の羽根板２８が回転することによる昇圧作用により、吸い込み用開口２と連通した外側の空気が吸い込み胴８を介してインペラ６に導入され、インペラ６から吹き出した空気が吐出用開口３より外側に排出される。
【００２７】
このとき、吸い込み胴８は一部がインペラ６内に挿入された位置関係にあるため、吸い込み胴８からの空気は確実にインペラ６内に導入されるが、インペラ６から流出した空気よりもインペラ６の吸込み口１２の空気のほうが圧力が低いため、インペラ６から流出した空気の一部は、吸い込み胴８と吸い込みシュラウド１３との間の間隙１４へ流れ込んで循環流れ１５を形成する。吸い込み胴８は円筒部９より下流端１６に向かって内径が大きくなるベルマウス形状部１１を備えるため、吸い込み胴８の下流端１６は遠心方向に曲がっており、循環流れ１５が間隙１４から吹き出す方向を遠心方向に向けることができ、このため、主流１７に沿わせることができ、主流１７に循環流れ１５が衝突することにより遠心方向の流れを乱して送風性能を低減させることを抑制することができ、送風効率を向上することができる。
【００２８】
このとき、上記吸い込み胴８は、分割されていなければ、上記構成を実現することは組立ができないため、実現不可能であるが、図３に示すように、つなぎ目１８のように接着およびかしめによる連結方法で、周方向に三個以上に分割し構成されているので、インペラ６を電動機４に取り付け組み立ててから後に、ケースに吸い込み胴８を組み立てながら取り付けることが可能となる。このように組み立てられた遠心送風機１は、上記のような送風性能の向上の効果が期待できる。
【００２９】
（実施の形態２）
実施の形態１と同一部分は同一番号を付し、詳細な説明は省略する。図４および図５に示すように、吸い込み胴８は、分割されていなければ、上記構成を実現することは組立ができないため、実現不可能であるが、三個以上に分割し構成されており、かつ、吸込み胴の分割部に結合部材１９を取り付けているので、インペラ６を組んでから後に、ケースに吸い込み胴８を組み立てながら取り付けることが可能となる。このように組み立てられた遠心送風機１は、実施の形態１に記載のような送風性能の向上の効果が期待できる。
【００３０】
（実施の形態３）
実施の形態１乃至２と同一部分は同一番号を付し、詳細な説明は省略する。
【００３１】
図６に示すように、吸込み胴２０は、上流部のベルマウス状部２１と、上記吸込み胴２０の最小直径部２２より下流側部材２３とでなり、かつ下流側部材２３は三個以上に分割しているので、インペラ６を組んでから後に、上流部のベルマウス状部２１に吸込み胴２０を取り付けることが可能となる。このように組み立てられた遠心送風機１は、実施の形態１に記載のような送風性能の向上の効果が期待できる。
【００３２】
（実施の形態４）
実施の形態１乃至３と同一部分は同一番号を付し、詳細な説明は省略する。図７に示すように、吸込み胴２５は、ベルマウス状部２１と吸込み胴の最小径より下流側のみ一体に成型された硬質樹脂またはゴム２４で製作し接着しているので、インペラ６を組んでから後に、ケースに吸込み胴２５を取り付けることが可能となる。このように組み立てられた遠心送風機１は、実施の形態１に記載のような送風性能の向上の効果が期待できる。
【００３３】
（実施の形態５）
実施の形態１と同一部分は同一番号を付し、詳細な説明は省略する。図８に示すように、インペラ６の側板に、成型された硬質樹脂またはゴムまたは板金加工品などのガイド部材２６を取り付ける構造である。このような構成によれば、吸い込み胴８をインペラ６に挿入した後にガイド部材２６を取り付けることにより、遠心送風機１を組み立てることができる。ガイド部材２６をゴム製とした場合には、ゴム製のガイド部材２６をインペラ６に取り付けた状態で吸い込み胴８を取り付けることも可能になる。このように組み立てられた遠心送風機１は、実施の形態１に記載のような送風性能の向上の効果が期待できる。
【産業上の利用可能性】
【００３４】
本発明は、循環流れが吸込み胴からインペラに流入した主流に衝突して遠心方向の流れを乱すことがなく、送風効率を向上することができる遠心送風機を、施工性よく実現し、提供するものである。
【図面の簡単な説明】
【００３５】
【図１】本発明の実施の形態１の遠心送風機を示す正面図
【図２】本発明の実施の形態１の遠心送風機を示す側断面図
【図３】本発明の実施の形態１の遠心送風機の吸込み胴の取り付けを示す断面図
【図４】本発明の実施の形態２の遠心送風機を示す側断面図
【図５】本発明の実施の形態２の遠心送風機の吸込み胴の取り付けを示す断面図
【図６】本発明の実施の形態３の遠心送風機の遠心送風機を示す側断面図
【図７】本発明の実施の形態４の遠心送風機を示す側断面図
【図８】本発明の実施の形態５の遠心送風機を示す側断面図
【図９】従来の遠心送風機を示す側断面図
【符号の説明】
【００３６】
１    遠心送風機
２    吸い込み用開口
３    吐出用開口
４    電動機
５    回転軸
６    インペラ
７    ケーシング
８    吸い込み胴
９    円筒部
１０  ベルマウス形状部
１１  ベルマウス形状部
１２  吸込み口
１３  吸い込みシュラウド
１４  間隙
１５  循環流れ
１６  下流端
１７  主流
１８  つなぎ目
１９  結合部材
２０  吸込み胴
２１  ベルマウス状部
２２  最小直径部
２３  下流側部材
２４  硬質樹脂またはゴム
２５  吸込み胴
２６  ガイド部材
２７  主板
２８  羽根板
【図１】
2008169793.tif 000003
【図２】
2008169793.tif 000004
【図３】
2008169793.tif 000005
【図４】
2008169793.tif 000006
【図５】
2008169793.tif 000007
【図６】
2008169793.tif 000008
【図７】
2008169793.tif 000009
【図８】
2008169793.tif 000010
【図９】
2008169793.tif 000011